【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
第１の電極と第２の電極との間に、
一般式（１）または一般式（２）で表されるアントラセン誘導体と、前記アントラセン誘導体に対し電子受容性を示す物質とを含む層と、
発光物質を含む層と、
を有することを特徴とする発光素子。
【化０１】
2006179877.tif 000001
（式中、Ｒ１〜Ｒ８は、それぞれ独立、または、Ｒ１とＲ２、Ｒ３とＲ４、Ｒ５とＲ６、Ｒ７とＲ８とがそれぞれ結合して芳香環を形成する。Ｒ１〜Ｒ８がそれぞれ独立であるとき、Ｒ１〜Ｒ８は、水素または炭素数１〜４のアルキル基のいずれかを表す。なお、Ｒ１とＲ２の結合と、Ｒ３とＲ４の結合と、Ｒ５とＲ６の結合と、Ｒ７とＲ８の結合とは、それぞれ独立している。）
【化０２】
2006179877.tif 000002
（式中、Ｒ１１〜Ｒ１８は、それぞれ独立、または、Ｒ１１とＲ１２、Ｒ１２とＲ１３、Ｒ１５とＲ１６、Ｒ１６とＲ１７とがそれぞれ結合して芳香環を形成する。Ｒ１１〜Ｒ１８がそれぞれ独立であるとき、Ｒ１１〜Ｒ１８は、水素または炭素数１〜４のアルキル基のいずれかを表す。なお、Ｒ１１とＲ１２の結合と、Ｒ１２とＲ１３の結合と、Ｒ１５とＲ１６の結合と、Ｒ１６とＲ１７の結合とは、それぞれ独立している。）
【請求項２】
前記物質は、モリブデン酸化物、バナジウム酸化物、ルテニウム酸化物及びレニウム酸化物から選ばれる少なくとも一の金属酸化物であることを特徴とする請求項１に記載の発光素子。
【請求項３】
第１の電極と第２の電極との間に、
第１の層と、第２の層と、第３の層と
を有し、
前記第１の層は、一般式（１）または一般式（２）で表されるアントラセン誘導体と、前記アントラセン誘導体に対し電子受容性を示す第１の物質とを含み、
前記第２の層は、発光物質を含み、
前記第３の層は、１×１０−６ｃｍ２／Ｖｓ以上の電子移動度を有する第２の物質と、前記第２の物質に対し電子供与性を示す第３の物質とを含む
ことを特徴とする発光素子。
【化０３】
2006179877.tif 000003
（式中、Ｒ１〜Ｒ８は、それぞれ独立、または、Ｒ１とＲ２、Ｒ３とＲ４、Ｒ５とＲ６、Ｒ７とＲ８とがそれぞれ結合して芳香環を形成する。Ｒ１〜Ｒ８がそれぞれ独立であるとき、Ｒ１〜Ｒ８は、水素または炭素数１〜４のアルキル基のいずれかを表す。なお、Ｒ１とＲ２の結合と、Ｒ３とＲ４の結合と、Ｒ５とＲ６の結合と、Ｒ７とＲ８の結合とは、それぞれ独立している。）
【化０４】
2006179877.tif 000004
（式中、Ｒ１１〜Ｒ１８は、それぞれ独立、または、Ｒ１１とＲ１２、Ｒ１２とＲ１３、Ｒ１５とＲ１６、Ｒ１６とＲ１７とがそれぞれ結合して芳香環を形成する。Ｒ１１〜Ｒ１８がそれぞれ独立であるとき、Ｒ１１〜Ｒ１８は、水素または炭素数１〜４のアルキル基のいずれかを表す。なお、Ｒ１１とＲ１２の結合と、Ｒ１２とＲ１３の結合と、Ｒ１５とＲ１６の結合と、Ｒ１６とＲ１７の結合とは、それぞれ独立している。）
【請求項４】
前記第１の物質は、モリブデン酸化物、バナジウム酸化物、ルテニウム酸化物及びレニウム酸化物から選ばれる少なくとも一の金属酸化物であり、
前記第３の物質は、リチウム酸化物、カルシウム酸化物、ナトリウム酸化物、カリウム酸化物、マグネシウム酸化物、フッ化リチウム、フッ化セシウム、フッ化カルシウムから選ばれる少なくとも一の物質である
ことを特徴とする請求項３に記載の発光素子。
【請求項５】
第１の電極と第２の電極との間に、
第１の層と、第２の層と、第３の層と
を有し、
前記第１の層は、一般式（１）または一般式（２）で表されるアントラセン誘導体と、前記アントラセン誘導体に対し電子受容性を示す第１の物質とを含み、
前記第２の層は、１×１０−６ｃｍ２／Ｖｓ以上の電子移動度を有する第２の物質と、前記第２の物質に対し電子供与性を示す第３の物質とを含み、
前記第３の層は、発光物質を含み、
前記第１の層は前記第２の層よりも第１の電極側に設けられ、
前記第３の層は前記第２の層よりも第２の電極側に設けられ、
前記第３の層は、前記第１の電極の電位が前記第２の電極の電位よりも低くなるように電圧を印加したときに発光する
ことを特徴とする発光素子。
【化０５】
2006179877.tif 000005
（式中、Ｒ１〜Ｒ８は、それぞれ独立、または、Ｒ１とＲ２、Ｒ３とＲ４、Ｒ５とＲ６、Ｒ７とＲ８とがそれぞれ結合して芳香環を形成する。Ｒ１〜Ｒ８がそれぞれ独立であるとき、Ｒ１〜Ｒ８は、水素または炭素数１〜４のアルキル基のいずれかを表す。なお、Ｒ１とＲ２の結合と、Ｒ３とＲ４の結合と、Ｒ５とＲ６の結合と、Ｒ７とＲ８の結合とは、それぞれ独立している。）
【化０６】
2006179877.tif 000006
（式中、Ｒ１１〜Ｒ１８は、それぞれ独立、または、Ｒ１１とＲ１２、Ｒ１２とＲ１３、Ｒ１５とＲ１６、Ｒ１６とＲ１７とがそれぞれ結合して芳香環を形成する。Ｒ１１〜Ｒ１８がそれぞれ独立であるとき、Ｒ１１〜Ｒ１８は、水素または炭素数１〜４のアルキル基のいずれかを表す。なお、Ｒ１１とＲ１２の結合と、Ｒ１２とＲ１３の結合と、Ｒ１５とＲ１６の結合と、Ｒ１６とＲ１７の結合とは、それぞれ独立している。）
【請求項６】
第１の電極と第２の電極との間に、
第１の層と、第２の層と、第３の層と
を有し、
前記第１の層は、一般式（１）または一般式（２）で表されるアントラセン誘導体と、前記アントラセン誘導体に対し電子受容性を示す第１の物質とを含み、
前記第２の層は、１×１０−６ｃｍ２／Ｖｓ以上の電子移動度を有する第２の物質と、前記第２の物質に対し電子供与性を示す第３の物質とを含み、
前記第３の層は、電子輸送層と、発光層と、正孔輸送層と、正孔発生層とを含み、
前記第１の層は前記第２の層よりも第１の電極側に設けられ、
前記第３の層は前記第２の層よりも第２の電極側に設けられ、
前記第２の層と前記電子輸送層とは接している
ことを特徴とする発光素子。
【化０７】
2006179877.tif 000007
（式中、Ｒ１〜Ｒ８は、それぞれ独立、または、Ｒ１とＲ２、Ｒ３とＲ４、Ｒ５とＲ６、Ｒ７とＲ８とがそれぞれ結合して芳香環を形成する。Ｒ１〜Ｒ８がそれぞれ独立であるとき、Ｒ１〜Ｒ８は、水素または炭素数１〜４のアルキル基のいずれかを表す。なお、Ｒ１とＲ２の結合と、Ｒ３とＲ４の結合と、Ｒ５とＲ６の結合と、Ｒ７とＲ８の結合とは、それぞれ独立している。）
【化０８】
2006179877.tif 000008
（式中、Ｒ１１〜Ｒ１８は、それぞれ独立、または、Ｒ１１とＲ１２、Ｒ１２とＲ１３、Ｒ１５とＲ１６、Ｒ１６とＲ１７とがそれぞれ結合して芳香環を形成する。Ｒ１１〜Ｒ１８がそれぞれ独立であるとき、Ｒ１１〜Ｒ１８は、水素または炭素数１〜４のアルキル基のいずれかを表す。なお、Ｒ１１とＲ１２の結合と、Ｒ１２とＲ１３の結合と、Ｒ１５とＲ１６の結合と、Ｒ１６とＲ１７の結合とは、それぞれ独立している。）
【請求項７】
前記第１の物質は、モリブデン酸化物、バナジウム酸化物、ルテニウム酸化物、及びレニウム酸化物から選ばれる少なくとも一の金属酸化物であり、
前記第３の物質は、リチウム酸化物、カルシウム酸化物、ナトリウム酸化物、カリウム酸化物、マグネシウム酸化物、フッ化リチウム、フッ化セシウム、フッ化カルシウムから選ばれる少なくとも一の物質である
ことを特徴とする請求項５または請求項６に記載の発光素子。
【請求項８】
請求項１乃至請求項７のいずれか一項に記載の発光素子を画素若しくは光源として用いていることを特徴とする発光装置。
【請求項９】
請求項８に記載の発光装置を表示部に用いていることを特徴とする電子機器。